(57)【特許請求の範囲】
【請求項１】
基地局と複数の移動局とから成るＴＤＭＡ通信方式の移動体通信システムにて、移動局の周辺レベルを測定するための周辺レベル測定装置であって、
基地局からの信号を受信して、その信号レベルを出力する受信部と、オンモードに指定されたとき、受信部からの信号レベルに基づいて、周辺レベルを測定する周辺レベル測定部と、周辺レベル測定部を制御する制御部とを有し、
前記周辺レベル測定部が、前記制御部に出力する受信完了タイミング信号を生成するタイミング生成部と、前記受信部の周波数シンセサイザに対して周辺ゾーン無線チャネル周波数指定信号により指定された周波数を出力する周波数指定部と、前記受信部の受信レベル出力部の出力情報にもとづいて受信レベルを測定する受信レベル測定部とを有し、
上記制御部が、周辺レベル測定の開始を必要とする要因が発生したことを検出すると、上記周波数指定部に対して周辺ゾーン無線チャネル周波数を指定するとともに、上記周辺レベル測定部に対してオンモードを指定し、
また、制御部が、アイドル時間帯情報を、上記タイミング生成部に対して指定し、
上記タイミング生成部が、上記アイドル時間帯情報にもとづいて、測定開始可否時間帯を判定し、
上記周辺レベル測定部がオンモードに指定されている場合に、上記測定開始可否時間帯が上記測定開始許可時間帯であるときは、上記タイミング生成部が周辺ゾーン無線チャネル周波数指定タイミング信号を出力し、上記周波数指定部が上記周辺ゾーン無線チャネル周波数指定タイミング信号を検出して周辺ゾーン無線チャネル周波数を上記周波数シンセサイザに対して指定し、この指定から上記周波数シンセサイザのシンセロック時間の経過した時点で上記受信レベル測定部が受信レベルの測定を開始し、
これに対して、上記周辺レベル測定部がオンモードに指定されている場合に、測定開始可否時間帯が測定開始禁止時間帯であるときは、上記オンモードに指定された時点から最初の測定開始許可時間帯の開始時点と同時に上記タイミング生成部が周辺ゾーン無線チャネル周波数指定タイミング信号を出力し、上記周波数指定部が上記周辺ゾーン無線チャネル周波数指定タイミング信号を検出して周辺ゾーン無線チャネル周波数を上記周波数シンセサイザに対して指定し、この指定から上記周波数シンセサイザのシンセロック時間の経過した時点で上記受信レベル測定部が受信レベルの測定を開始する
ことを特徴とするＴＤＭＡ通信方式の移動体通信における周辺レベル測定装置。
【請求項２】
上記制御部が、ＣＰＵにより構成されている
ことを特徴とする請求項１記載のＴＤＭＡ通信方式の移動体通信における周辺レベル測定装置。
【請求項３】
上記制御部が、論理回路により構成されている
ことを特徴とする請求項１又は２記載のＴＤＭＡ通信方式の移動体通信における周辺レベル測定装置。
【請求項４】
上記周辺レベル測定部が、オフモードに指定されたとき、即時にリセットされる
ことを特徴とする請求項１〜３のいずれかに記載のＴＤＭＡ通信方式の移動体通信における周辺レベル測定装置。
【発明の詳細な説明】
【０００１】
【発明の属する技術分野】
本発明は、ＴＤＭＡ通信方式の移動体通信システムにおける移動局の周辺レベル検出のための技術に関する。
【０００２】
【従来の技術】
従来、移動体通信システムとして、無線周波数を時間分割して、個々の通信者の移動局に対して特定の時間帯を割り当てて、この割り当てられた時間帯で各移動局と基地局との間で通信を行なうようにした、いわゆるＴＤＭＡ（Ｔｉｍｅ  Ｄｉｖｉｓｉｏｎ  Ｍｕｌｔｉｐｌｅ  Ａｃｃｅｓｓ）通信方式の移動体通信システムが知られている。
【０００３】
ＴＤＭＡ通信方式の移動体通信システムにおいては、信号の送受信は、フレーム（ＴＤＭＡフレーム）を基本として、１ＴＤＭＡフレーム内の割り当てられた一対の時間帯を使用して行なわれる。
一対の時間帯とは、例えば基地局から移動局への送信のための時間帯および移動局から基地局への受信のための時間帯の対と、移動局から基地局への送信のための時間帯および基地局から移動局への受信のための時間帯の対である。
【０００４】
ここで、ＴＤＭＡ通信方式の移動体通信について、図５を参照して説明する。図５は、基地局Ｂとある一つの移動局Ｍ１との間の通信における時間割り当てを示しており、例えば１ＴＤＭＡフレーム内における時間分割数すなわちチャネル多重数が６の場合を示している。（以下、時間分割された各時間帯をトラヒックバーストという）。
【０００５】
そして、図５において、基地局Ｂから移動局Ｍ１への通信に関して、一つの無線チャネルＦ１が使用され、また移動局Ｍ１から基地局Ｂへの通信に関して、別の一つの無線チャネルＦ２が使用される。なお、一つの無線チャネルで基地局Ｂの移動局Ｍ１との間の送受信を行なう場合もある。
したがって、各無線チャネルＦ１，Ｆ２は、それぞれトラヒックバーストに時間分割され、各トラヒックバーストが順次に異なる移動局との通信に利用されることにより、最大でチャネル多重数に等しい６個の移動局との間で通信を行なうことができるようになっている。
【０００６】
これに対して、移動局Ｍ１から基地局Ｂへの通信は、割り当てられたトラヒックバーストにて、バースト状に伝送されることになる。
すなわち、図５に示すように、移動局Ｍ１は、局発源周波数Ｆ１に基づいて基地局Ｂからの信号を受信し、また局発源周波数Ｆ２に基づいて、基地局Ｂに対して信号を送信する。
【０００７】
このようにして、１ＴＤＭＡフレームにおいて、移動局Ｍ１は、図５に示すように、基地局Ｂからのデータ受信の際には、移動局Ｍ１の局発源周波数を周波数Ｆ１（この場合、周波数Ｆ１は、移動局Ｍ１から見て自局の無線チャネルの周波数となるので、以下自局無線チャネル周波数という）に指定して、基地局Ｂの移動局Ｍ１に対する受信用のトラヒックバースト（以下、この時間帯を自局スロットという）に同期させてデータ受信を行なう。
【０００８】
また、移動局Ｍ１は、基地局Ｂに対するデータ送信の際には、移動局Ｍ１の局発源周波数を周波数Ｆ２に指定して、基地局Ｂの移動局Ｍ１に対する送信用のトラヒックバーストに同期させてデータ送信を行なう。
これに対して、１ＴＤＭＡフレームにおいて、移動局Ｍ１は、データ送受信以外の時間帯では、基地局Ｂとの通信に関して自由な時間帯（以下、アイドルという）となる。したがって、移動局Ｍ１が送信を行なわず、受信のみを行なう場合には、受信以外の時間帯がすべてアイドルとなる。
【０００９】
ところで、何らかの要因、例えば移動局の在圏ゾーンの網側のトラヒック集中，移動局の自局スロットの受信レベルの劣化や、移動局の自局スロットの受信レベルよりも周辺ゾーンの受信レベルが大きい場合等の要因によって、周辺ゾーンへのゾーン移行が必要になることがある。したがって、このような場合に備えて、周辺ゾーンの受信レベル（以下、周辺レベルという）の測定を行なう必要がある。
このため、アイドルにおける移動局の局発源周波数は、データ送受信とは無関係であることから、このアイドルを利用して、上記周辺レベルの測定を効率良く行なうようにしている。
【００１０】
従来のＴＤＭＡ通信方式における周辺レベルの測定について、図６を参照して説明する。
図６は、従来のＴＤＭＡ通信方式の移動体としての携帯電話機における自動周辺レベル測定装置の構成を示すブロック図である。
図６に示すように、自動周辺レベル測定装置は、受信部６００と、受信部６００の制御を含む一連の周辺レベル測定制御を行なう自動周辺レベル測定部６１０と、自動周辺レベル測定部６１０の制御を行なうＣＰＵ６２０と、を設けてある。
【００１１】
受信部６００は、無線機６０１と、周波数シンセサイザ６０２と、受信レベル出力部６０３と、同期クロック発生部６０４と、を有する。
ここで、無線機６０１は、周波数シンセサイザ６０２により指定された無線チャネルによって、基地局Ｂから伝送されアンテナ６０１ａで受信した変調アナログ信号を復調する。
また、周波数シンセサイザ６０２は、後述する自動周辺レベル測定部６１０の周波数指定部６１２により指定された無線チャネルを選択し、無線機６０１に送出する。
【００１２】
さらに、受信レベル出力部６０３は、周波数シンセサイザ６０２で指定された無線チャネルにおける無線機６０１による受信レベルを検出して出力する。
また、同期クロック発生部６０４は、周波数シンセサイザ６０２で指定された無線チャネルにおいて、無線機６０１により復調される基地局Ｂからの受信データに同期したクロックを出力する。
【００１３】
上記自動周辺レベル測定部６１０は、ＣＰＵ６２０からライン６２０ｂを介して送られてくる周辺レベル測定オンオフ指定信号により、オンモードとオフモードの指定を可能にすると共に、さらに受信レベル測定部６１１と、周波数指定部６１２と、タイミング生成部６１３と、を有する。
ここで、受信レベル測定部６１１は、タイミング生成部６１３からライン６１３ｄを介して送られてくる周辺レベル測定タイミング信号の信号発生タイミングで、受信レベル出力部６０３の出力情報に基づいて受信レベルを測定し、測定した受信レベルを周辺レベル情報としてライン６１１ａを介してＣＰＵ６２０に出力する。
【００１４】
また、周波数指定部６１２は、ＣＰＵ６２０からライン６２０ａを介して送られてくる周辺ゾーン無線チャネル周波数指定信号により指定された周波数を、タイミング生成部６１３からライン６１３ｂを介して送られてくる周辺ゾーン無線チャネル周波数指定タイミング信号の信号発生タイミングで、周波数シンセサイザ６０２に対して出力する。
さらに、周波数指定部６１２は、ＣＰＵ６２０からライン６２０ｃを介して送られてくる自局無線チャネル周波数指定信号により指定された周波数を、タイミング生成部６１３からライン６１３ｃを介して送られてくる自局無線チャネル周波数指定タイミング信号、またはＣＰＵ６２０からライン６２０ｄを介して送られてくるＣＰＵ起動型自局無線チャネル周波数指定タイミング信号の信号発生タイミングで、周波数シンセサイザ６０２に対して出力する。
【００１５】
上記タイミング生成部６１３は、自動周辺レベル測定部６１０がオフモードに指定されている場合には、移動局の自局スロットデータ受信が基地局Ｂに同期して完了したタイミングで、ライン６１３ｅを介してＣＰＵ６２０に出力する受信完了タイミング信号（第一の信号）を生成する。
これに対して、自動周辺レベル測定部６１０がオンモードに指定されている場合には、タイミング生成部６１３は、上記第一の信号に加えて、さらに以下の四つの信号、すなわちライン６１３ｂを介して周波数指定部６１２に出力する周辺ゾーン無線チャネル周波数指定タイミング信号（第二の信号）と、ライン６１３ｄを介して受信レベル測定部６１１に出力する周辺レベル測定タイミング信号（第三の信号）と、ライン６１３ａを介してＣＰＵ６２０に出力する周辺レベル測定完了タイミング信号（第四の信号）と、ライン６１３ｃを介して周波数指定部６１２に出力する自局無線チャネル周波数指定タイミング信号（第五の信号）と、を生成する。
【００１６】
ここで、第二の信号（周辺ゾーン無線チャネル周波数指定タイミング信号）は、上記第一の信号の信号発生時点と同時に、ライン６１３ｂに出力される。
また、第三の信号（周辺レベル測定タイミング信号）は、上記第二の信号の信号発生時点から、周波数シンセサイザ６０２のシンセロック時間経過後に、ライン６１３ｄに出力される。
【００１７】
さらに、第四の信号（周辺レベル測定完了タイミング信号）は、上記第三の信号の信号発生時点の後に、受信レベル測定部６１１が受信レベル出力部６０３の出力情報に基づいて受信レベル測定を終了した時点で、ライン６１３ａに出力される。
また、第五の信号（自局無線チャネル周波数指定タイミング信号）は、上記第四の信号の信号発生時点と同時に、ライン６１３ｃに出力される。
【００１８】
上記ＣＰＵ６２０は、ライン６１３ｅからの第一の信号（受信完了タイミング信号）の検出と、ライン６１３ａからの第四の信号（周辺レベル測定完了タイミング信号）の検出と、ライン６１１ａを介して行なう周辺レベル情報の読出しと、ライン６２０ｂを介して行なう自動周辺レベル測定部６１０に対する周辺レベル測定オンオフ指定信号の出力と、ライン６２０ｄを介して行なうＣＰＵ起動型自局無線チャネル周波数指定タイミング信号の出力と、ライン６２０ｃを介して行なう自局無線チャネル周波数指定信号の出力と、ライン６２０ａを介して行なう周辺ゾーン無線チャネル周波数指定信号の出力と、を可能にする。
【００１９】
図７は、上述した従来の自動周辺レベル測定装置による周辺レベル測定の動作の一例を示すタイムチャートであり、測定対象の周辺ゾーン無線チャネルが１波の場合を例としている。
ここで、従来の自動周辺レベル測定装置の動作を、周辺レベル測定におけるＣＰＵ６２０の動作（すなわちソフトウェア処理）をＡ，Ｂ，Ｃとし、また自動周辺レベル測定装置の動作（すなわちハードウェア処理）をＸ，Ｙ，Ｚとして、時系列的に、図７を参照しながら説明する。
【００２０】
先ず、自動周辺レベル測定部６１０をオンモードに指定する前には、すなわち周辺レベルの測定を行なう前には、ＣＰＵ６２０は、以下の動作ａ）およびｂ）を行なっている。
ａ）  ＣＰＵ６２０が、予め指定する自局無線チャネル周波数Ｆ１を、周波数指定部６１２に対して、ライン６２０ｃを介して指定する。
ｂ）  ＣＰＵ６２０が、自局無線チャネル周波数指定タイミング信号を、ライン６２０ｄを介して出力する。
これらの動作ａ）およびｂ）により、周波数指定部６１２が、動作ａ）で指定した自局無線チャネル周波数Ｆ１を、動作ｂ）で指定したタイミングで、周波数シンセサイザ６０２に対して指定する。
このようにして、移動局が自局スロットの受信を行なうために、自動周辺レベル測定部６１０にて、前もって自局無線チャネル周波数が周波数シンセサイザ６０２に指定される。
【００２１】
そして、ＣＰＵ６２０は、図７にて動作Ａの時点で、ゾーン移行を必要とするような要因が発生したとき、周辺レベル測定の開始を必要とすることを検出する。
これにより、ＣＰＵ６２０は、上記動作Ａの時点からタイミング生成部６１３が出力する一回目の受信完了タイミング信号Ｓ２による図７の動作Ｂの時点で、以下の手順Ｂ１〜Ｂ３（図８参照）を行なう。
手順Ｂ１において、ＣＰＵ６２０は、本動作Ｂの時点にて、上記動作Ａの時点からタイミング生成部６１３が出力する一回目の受信完了タイミング信号Ｓ２を、ライン６１３ｅにより検出する。
そして、手順Ｂ２において、ＣＰＵ６２０は、周辺ゾーン無線チャネル周波数ｆａを、周波数指定部６１２に対して、ライン６２０ａを介して指定する。
最後に、手順Ｂ３において、ＣＰＵ６２０は、オンモードを、自動周辺レベル測定部６１０に対して、ライン６２０ｂを介して指定する。
【００２２】
続いて、上記手順Ｂ３のオンモードに指定された自動周辺レベル測定部６１０において、上記動作Ｘの時点（次の受信完了タイミング信号Ｓ３のタイミング）にて、以下の動作Ｘ１〜Ｘ２が行なわれる。
動作Ｘ１にて、タイミング生成部６１３が、ライン６１３ｅに第一の信号（受信完了タイミング信号）を出力し、同時にライン６１３ｂに第二の信号（周辺ゾーン無線チャネル周波数指定タイミング信号）を出力する。
動作Ｘ２にて、周波数指定部６１２が、動作Ｘ１でライン６１３ｂに出力された上記第二の信号を検出して、手順Ｂ２で指定された周辺ゾーン無線チャネル周波数ｆａを、周波数シンセサイザ６０２に対して指定する。
【００２３】
このようにして、上記動作Ｘの時点から周波数シンセサイザ６０２のシンセロック時間が経過した時点（動作Ｙの時点）で、以下の動作Ｙ１〜Ｙ２が行なわれる。
動作Ｙ１にて、タイミング生成部６１３が、ライン６１３ｄに第三の信号（周辺レベル測定タイミング信号）を出力する。
動作Ｙ２にて、受信レベル測定部６１１が、動作Ｙ１で出力された第三の信号を検出して、受信レベル出力部６０３の出力情報に基づいて受信レベルの測定を開始する。
【００２４】
そして、上記動作Ｙの時点から受信レベル測定部６１１の測定が終了した時点（動作Ｚの時点）で、以下の動作Ｚ１〜Ｚ３の動作が行なわれる。
動作Ｚ１にて、タイミング生成部６１３が、ライン６１３ａに第四の信号（周辺レベル測定完了タイミング信号）を出力する。
動作Ｚ２にて、タイミング生成部６１３が、上記動作Ｚ１と同時に、ライン６１３ｃに、第五の信号（自局無線チャネル周波数指定タイミング信号）を出力する。
動作Ｚ３にて、周波数指定部６１２が、動作Ｚ２で出力された第五の信号を検出して、動作ａ）で指定された自局無線チャネル周波数Ｆ１を、周波数シンセサイザ６０２に対して指定する。
【００２５】
その後、ＣＰＵ６２０は、動作Ｃの時点で、以下の動作Ｃ１〜Ｃ２（図８参照）を行なう。
動作Ｃ１にて、ＣＰＵ６２０は、上記動作Ｚ１で出力された第四の信号（周辺レベル測定完了タイミング信号）を検出して、周辺レベル測定結果を、ライン６１１ａを介して読み出す。
動作Ｃ２にて、ＣＰＵ６２０は、周辺レベルの測定（１波）という目的を終えたことになるので、オフモードを、自動周辺レベル測定部６１０に対して、ライン６２０ｂを介して指定する。
【００２６】
上述した一連の動作に関して、ＣＰＵ６２０が行なう自動周辺レベル測定部６１０との間の入出力処理に着目して、ＴＤＭＡ通信方式における周辺レベル測定のためのデータ受信制御手順を、図８を参照して説明する。
図８において、ＣＰＵ６２０は、先ずステップＰ１にて、受信完了タイミング信号Ｓ１により、受信データ解析処理を起動する。
そして、ＣＰＵ６２０は、この受信データ解析処理にて、周辺レベル測定の開始要因の発生の有無を判定する。
【００２７】
次に、ステップＰ２にて、周辺レベル測定の開始要因が発生（上述した動作Ａ）すると、ＣＰＵ６２０は、ステップＰ３にて、受信完了タイミング信号Ｓ２を検出（上述した手順Ｂ１）により、再び受信データ解析処理を起動する。
そして、ＣＰＵ６２０は、この受信データ解析処理にて、周辺レベル測定の開始要因の発生の有無を判定した結果、ステップＰ２における要因発生を認識して、以下のステップＰ４〜Ｐ５の処理を行なう。
すなわち、ＣＰＵ６２０は、ステップＰ４にて、周辺ゾーン無線チャネル周波数指定（上述した手順Ｂ２）を行ない、続いてステップＰ５にて、周辺レベル測定をオンモードに指定（上述した手順Ｂ３）する。
【００２８】
その後、ＣＰＵ６２０は、ステップＰ６にて、受信完了タイミング信号Ｓ３により、受信データ解析処理を起動し、続いてステップＰ７にて、周辺レベル測定完了信号Ｓ４により、周辺レベル読出し処理（上記動作Ｃ１）を起動する。
最後に、ＣＰＵ６２０は、ステップＰ８にて、一連の動作の目的である１波の周辺レベルの測定が終了したので、自動周辺レベル測定部６１０の周辺レベル測定をオフモードに指定（上記動作Ｃ２）する。
このようにして、周辺レベルの測定動作が終了する。
【００２９】
【発明が解決しようとする課題】
ところで、上述したようステップＰ２における周辺ゾーンへのゾーン移行のための周辺レベル測定の開始要因発生は、受信データ解析処理が、処理負荷によって変動するため、時間的にランダムに発生する。
【００３０】
これに対して、自動周辺レベル測定部６１０の一連のシーケンシャル動作の途中で、周辺レベル測定のオンオフ指定が行なわれると、自動周辺レベル測定部６１０が誤動作してしまうおそれがある。
また、この自動周辺レベル測定部６１０におけるシーケンシャル動作が受信完了タイミング信号Ｓ１，Ｓ２，・・・をトリガとして動作開始するようになっている。
【００３１】
したがって、ステップＰ５に示すように、周辺レベル測定をオンモードに指定するタイミングを、時間的に一つ前の受信完了タイミング信号のタイミングに同期させると共に、ステップＰ８に示すように、周辺レベル測定のオフモードに指定するタイミングを、周辺レベル測定完了信号タイミングに同期させ、さらに受信データ解析処理にて、周辺レベル測定の開始要因の発生の有無を判定する処理を追加するようにしている。
【００３２】
これにより、自動周辺レベル測定部６１０の一連のシーケンシャル動作と、周辺レベル測定をオンモードに指定するタイミングとの競合を回避して、シーケンシャル動作の誤動作を回避することができる。
しかしながら、自動周辺レベル測定部６１０は、その一連のシーケンシャル動作において上述したソフトウェアに対する規制を強いることになるため、ソフトウェア制御の複雑化を招くことになり、さらにソフトウェアの開発期間の長期化の要因にもなっている。
【００３３】
本発明は、上記の問題を解決すべくなされたものであり、任意のタイミングで周辺レベル測定の開始を可能にすることにより、周辺レベル測定のためのソフトウェア制御を簡略化するようにした、ＴＤＭＡ通信方式の移動体通信における移動局の周辺レベル測定装置の提供を目的とする。
【００３４】
【課題を解決するための手段】
この目的を達成するため、本発明の請求項１記載のＴＤＭＡ通信方式の移動体通信における移動局の周辺レベル測定装置は、基地局と複数の移動局とから成るＴＤＭＡ通信方式の移動体通信システムにて、移動局の周辺レベルを測定するための周辺レベル測定装置であって、基地局からの信号を受信して、その信号レベルを出力する受信部と、オンモードに指定されたとき、受信部からの信号レベルに基づいて、周辺レベルを測定する周辺レベル測定部と、周辺レベル測定部を制御する制御部とを有し、前記周辺レベル測定部が、前記制御部に出力する受信完了タイミング信号を生成するタイミング生成部と、前記受信部の周波数シンセサイザに対して周辺ゾーン無線チャネル周波数指定信号により指定された周波数を出力する周波数指定部と、前記受信部の受信レベル出力部の出力情報にもとづいて受信レベルを測定する受信レベル測定部とを有し、上記制御部が、周辺レベル測定の開始を必要とする要因が発生したことを検出すると、上記周波数指定部に対して周辺ゾーン無線チャネル周波数を指定するとともに、上記周辺レベル測定部に対してオンモードを指定し、また、制御部が、アイドル時間帯情報を、上記タイミング生成部に対して指定し、上記タイミング生成部が、上記アイドル時間帯情報にもとづいて、測定開始可否時間帯を判定し、上記周辺レベル測定部がオンモードに指定されている場合に、上記測定開始可否時間帯が上記測定開始許可時間帯であるときは、上記タイミング生成部が周辺ゾーン無線チャネル周波数指定タイミング信号を出力し、上記周波数指定部が上記周辺ゾーン無線チャネル周波数指定タイミング信号を検出して周辺ゾーン無線チャネル周波数を上記周波数シンセサイザに対して指定し、この指定から上記周波数シンセサイザのシンセロック時間の経過した時点で上記受信レベル測定部が受信レベルの測定を開始し、これに対して、上記周辺レベル測定部がオンモードに指定されている場合に、測定開始可否時間帯が測定開始禁止時間帯であるときは、上記オンモードに指定された時点から最初の測定開始許可時間帯の開始時点と同時に上記タイミング生成部が周辺ゾーン無線チャネル周波数指定タイミング信号を出力し、上記周波数指定部が上記周辺ゾーン無線チャネル周波数指定タイミング信号を検出して周辺ゾーン無線チャネル周波数を上記周波数シンセサイザに対して指定し、この指定から上記周波数シンセサイザのシンセロック時間の経過した時点で上記受信レベル測定部が受信レベルの測定を開始する構成としてある。
【００３５】
ＴＤＭＡ通信方式の移動体通信における移動局の周辺レベル測定装置をこのような構成とすると、制御部の識別部により、アイドル時間帯か否かが識別されることにより、周辺レベル測定の要因が発生したとき、制御部は、アイドル時間帯か否かにかかわらず、周辺レベル測定部に対して周辺レベル測定を行なわせる。
【００３６】
これにより、任意のタイミングで周辺レベル測定の要因が発生したとき、制御部が周辺レベル測定部に対して周辺レベルの測定を行なわせる。したがって、周辺レベル測定部の一連のシーケンシャル動作と、周辺レベル測定のオンモード指定のタイミングとの競合を回避する必要はなく、いつでも周辺レベル測定部に対してオンモード指定をして、周辺レベルの測定が可能となる。
【００３７】
このようにして、本発明によれば、周辺レベル測定部における一連のシーケンシャル動作における制御部のソウトウェアに対する規制が不要となり、ソフトウェア制御が容易になり、ソフトウェアの開発期間を短縮することができる。
【００３８】
さらに、周辺レベル測定装置をこのような構成とすると、周波数シンセサイザが無線チャネル周波数指定により指定された周波数の発振を行なうようになった後に、周辺レベル測定部が周辺レベルの測定を行なう。これにより、正確な周辺レベルの測定を行なうことができる。
【００３９】
請求項２記載の周辺レベル測定装置は、上記制御部が、ＣＰＵにより構成されている構成としてある。
周辺レベル測定装置をこのような構成とすると、ＣＰＵを所定のプログラムにしたがって動作させることにより、制御部の所望の制御動作が容易に得られると共に、制御部の制御内容を容易に変更することができる。
【００４０】
請求項３記載の周辺レベル測定装置は、上記制御部が、論理回路により構成されている構成としてある。
周辺レベル測定装置をこのような構成とすると、前もって構成された論理回路にしたがって、制御部が周辺レベル測定部の制御を行なう。この結果、CPUが制御する代わりに論理回路が制御を行なうので消費電力が少なくなり、また、この低消費電力化により、電池の低容量化を図れるので低コストで周辺レベル測定部の制御を行なうことができる。
【００４１】
請求項４記載の周辺レベル測定装置は、上記周辺レベル測定部が、オフモードに指定されたとき、即時にリセットされる構成としてある。
周辺レベル測定装置をこのような構成とすると、周辺レベル測定部による周辺レベル測定中に、制御部が次の周辺レベル測定を行なわせようとして周辺レベル測定部をオフモードに指定したとき、周辺レベル測定装置がオフモードに指定されると同時にリセットされることにより、次の周辺レベル測定に影響を与えて誤動作を生じさせることがない。
【００４２】
【発明の実施の形態】
以下、本発明の実施の形態について、図面を参照して説明する。
まず、本発明のＴＤＭＡ通信方式の移動体としての携帯電話機における自動周辺レベル測定装置の一実施形態について、図１を参照して説明する。
図１は、本実施形態による自動周辺レベル測定装置の構成を示すブロック図である。
【００４３】
図１に示すように、自動周辺レベル測定装置１０は、受信部１００と、受信部１００の制御を含む一連の周辺レベル測定制御を行なう自動周辺レベル測定部１１０と、自動周辺レベル測定部１１０の制御を行なうＣＰＵ１２０と、を設けてある。
【００４４】
受信部１００は、無線機１０１と、周波数シンセサイザ１０２と、受信レベル出力部１０３と、同期クロック発生部１０４と、を有する。
ここで、無線機１０１は、周波数シンセサイザ１０２により指定された無線チャネルによって、基地局Ｂから伝送されアンテナ１０１ａで受信した変調アナログ信号を復調する。
また、周波数シンセサイザ１０２は、後述する自動周辺レベル測定部１１０の周波数指定部１１２により指定された無線チャネルを選択し、無線機１０１に送出する。
【００４５】
さらに、受信レベル出力部１０３は、周波数シンセサイザ１０２で指定された無線チャネルにおける無線機１０１による受信レベルを検出して出力する。
また、同期クロック発生部１０４は、周波数シンセサイザ１０２で指定された無線チャネルにおいて、無線機１０１により復調される基地局Ｂからの受信データに同期したクロックを出力する。
【００４６】
上記自動周辺レベル測定部１１０は、ＣＰＵ１２０からライン１２０ｂを介して送られてくる周辺レベル測定オンオフ指定信号により、オンモードとオフモードの指定を可能にすると共に、さらに受信レベル測定部１１１と、周波数指定部１１２と、タイミング生成部１１３と、を有する。
ここで、受信レベル測定部１１１は、タイミング生成部１１３からライン１１３ｄを介して送られてくる周辺レベル測定タイミング信号の信号発生タイミングで、受信レベル出力部１０３の出力情報に基づいて受信レベルを測定し、測定した受信レベルを周辺レベル情報としてライン１１１ａを介してＣＰＵ１２０に出力する。
【００４７】
また、周波数指定部１１２は、ＣＰＵ１２０からライン１２０ａを介して送られてくる周辺ゾーン無線チャネル周波数指定信号により指定された周波数を、タイミング生成部１１３からライン１１３ｂを介して送られてくる周辺ゾーン無線チャネル周波数指定タイミング信号の信号発生タイミングで、周波数シンセサイザ１０２に対して出力する。
さらに、周波数指定部１１２は、ＣＰＵ１２０からライン１２０ｃを介して送られてくる自局無線チャネル周波数指定信号により指定された周波数を、タイミング生成部１１３からライン１１３ｃを介して送られてくる自局無線チャネル周波数指定タイミング信号またはＣＰＵ１２０からライン１２０ｄを介して送られてくるＣＰＵ起動型自局無線チャネル周波数指定タイミング信号の信号発生タイミングで、周波数シンセサイザ１０２に対して出力する。
【００４８】
上記タイミング生成部１１３は、同期クロック発生部１０４から出力された同期クロックに基づいて、ＣＰＵ１２０からライン１２０ｅを介して送られてくるアイドル時間帯情報指定信号により指定された情報に基づいて、測定開始可否時間帯を判定する。
そして、上記タイミング生成部１１３は、自動周辺レベル測定部１１０がオフモードに指定されている場合には、移動局の自局スロットデータ受信が基地局Ｂに同期して完了したタイミングで、ライン１１３ｅを介してＣＰＵ１２０に出力する受信完了タイミング（第一の信号）を生成する。
【００４９】
これに対して、自動周辺レベル測定部１１０がオンモードに指定されている場合には、タイミング生成部１１３は、上記測定開始可否時間帯の判定の結果、測定開始許可時間帯または測定開始禁止時間帯であるかに応じて、上記第一の信号に加えて、さらに以下の四つの信号、すなわちライン１１３ｂを介して周波数指定部１１２に出力する周辺ゾーン無線チャネル周波数指定タイミング信号（第二の信号）と、ライン１１３ｄを介して受信レベル測定部１１１に出力する周辺レベル測定タイミング信号（第三の信号）と、ライン１１３ａを介してＣＰＵ１２０に出力する周辺レベル測定完了タイミング信号（第四の信号）と、ライン１１３ｃを介して周波数指定部１１２に出力する自局無線チャネル周波数指定タイミング信号（第五の信号）と、を生成する。
【００５０】
ここで、上記第二〜第五の信号は、上記測定開始可否時間帯が測定開始許可時間帯である場合には、タイミング生成部１１３により、以下のようにして生成される。
まず、第二の信号（周辺ゾーン無線チャネル周波数指定タイミング信号）は、自動周辺レベル測定部１１０がオンモードに指定されたと同時に、ライン１１３ｂに出力される。
また、第三の信号（周辺レベル測定タイミング信号）は、上記第二の信号の信号発生時点から、周波数シンセサイザ１０２のシンセロック時間経過後に、ライン１１３ｄに出力される。
【００５１】
さらに、第四の信号（周辺レベル測定完了タイミング信号）は、上記第三の信号の信号発生時点の後に、受信レベル測定部１１１が受信レベル出力部１０３の出力情報に基づいて受信レベル測定を終了した時点で、ライン１１３ａに出力される。
また、第五の信号（自局無線チャネル周波数指定タイミング信号）は、上記第四の信号の信号発生時点と同時に、ライン１１３ｃに出力される。
【００５２】
これに対して、上記第二〜第五の信号は、上記測定開始可否時間帯が測定開始禁止時間帯である場合には、タイミング生成部１１３により、以下のようにして生成される。
まず、第二の信号は、自動周辺レベル測定部１１０がオンモードに指定された時点から最初の測定開始可能時間帯の開始時点と同時に、ライン１１３ｂに出力される。
また、第三，第四および第五の信号は、上記測定開始可否時間帯が測定開始可能時間帯である場合と同様のタイミングで出力される。
【００５３】
上記ＣＰＵ１２０は、ライン１１３ｅからの第一の信号（受信完了タイミング信号）の検出と、ライン１１３ａからの第四の信号（周辺レベル測定完了タイミング信号）の検出と、ライン１１１ａを介して行なう周辺レベル情報の読出しと、ライン１２０ｂを介して行なう自動周辺レベル測定部１１０に対する周辺レベル測定オンオフ指定信号の出力と、ライン１２０ｄを介して行なうＣＰＵ起動型自局無線チャネル周波数指定タイミング信号の出力と、ライン１２０ｃを介して行なう自局無線チャネル周波数指定信号の出力と、ライン１２０ａを介して行なう周辺ゾーン無線チャネル周波数指定信号の出力と、さらにライン１２０ｅを介して行なうアイドル時間帯情報指定信号（受信のトラヒックバーストすなわち自局スロット以外の時間帯情報信号）の出力を可能にする。
【００５４】
図２は、本発明による自動周辺レベル測定装置による周辺レベル測定の動作の一例を示すタイムチャートであり、測定対象の周辺ゾーン無線チャネルが１波の場合を例としている。
ここで、従来の自動周辺レベル測定装置の動作を、周辺レベル測定におけるＣＰＵ１２０の動作（すなわちソフトウェア処理）をＡ，Ｂ，ＣまたはＡ’，Ｂ’，Ｃ’とし、また自動周辺レベル測定装置の動作（すなわちハードウェア処理）をＸ，Ｙ，ＺまたはＸ’，Ｙ’，Ｚ’として、時系列的に、図２を参照しながら説明する。
【００５５】
先ず、自動周辺レベル測定部１１０をオンモードに指定する前には、すなわち周辺レベルの測定を行なう前には、ＣＰＵ１２０は、以下の動作ａ），ｂ）およびｃ）を行なっている。
ａ）  ＣＰＵ１２０が、予め指定する自局無線チャネル周波数Ｆ１を、周波数指定部１１２に対して、ライン１２０ｃを介して指定する。
ｂ）  ＣＰＵ１２０が、自局無線チャネル周波数指定タイミング信号を、ライン１２０ｄを介して出力する。
これらの動作ａ）およびｂ）により、周波数指定部１１２が、動作ａ）で指定した自局無線チャネル周波数Ｆ１を、動作ｂ）で指定したタイミングで、周波数シンセサイザ１０２に対して指定する。
ｃ）  ＣＰＵ１２０が、予め認識しているアイドル時間帯情報を、タイミング生成部１１３に対して、ライン１２０ｅを介して指定する。
このようにして、移動局が自局スロットの受信を行ない、また前もって移動局が認識しているアイドル時間帯情報を自動周辺レベル測定部１１０に指定しておくために、自動周辺レベル測定部１１０にて、前もって自局無線チャネル周波数が周波数シンセサイザ１０２に指定され、またアイドル時間帯がタイミング生成部１１３に指定される。
【００５６】
ここで、まず、周辺レベル測定をオンモードに指定するタイミングが、測定開始許可時間帯である場合について説明する。
ＣＰＵ１２０は、図２にて動作Ａの時点で、ゾーン移行を必要とするような要因が発生したとき、周辺レベル測定の開始を必要とすることを検出する。
これにより、ＣＰＵ１２０は、続いて図２にて動作Ｂの時点で、以下の手順Ｂ１１〜Ｂ１２（図３参照）を行なう。
手順Ｂ１１にて、ＣＰＵ１２０は、周辺ゾーン無線チャネル周波数ｆａを、周波数指定部１１２に対して、ライン１２０ａを介して指定する。
手順Ｂ１２にて、ＣＰＵ１２０は、オンモードを、自動周辺レベル測定部１１０に対して、ライン１２０ｂを介して指定する。
【００５７】
続いて、上記手順ｃ）の指定により、タイミング生成部１１３の判定結果が測定開始許可時間帯の場合、上記手順Ｂ１２にてオンモードに指定された自動周辺レベル測定部１１０において、上記動作Ｘの時点にて、以下の動作Ｘ１１〜Ｘ１２が行なわれる。
動作Ｘ１１にて、タイミング生成部１１３が、ライン１１３ｂに、第二の信号（周辺ゾーン無線チャネル周波数指定信号）を出力する。
動作Ｘ１２にて、周波数指定部１１２が、動作Ｘ１１でライン１１３ｂに出力された上記第二の信号を検出して、手順Ｂ１１で指定された周辺ゾーン無線チャネル周波数ｆａを、周波数シンセサイザ１０２に対して指定する。
【００５８】
このようにして、上記動作Ｘの時点から周波数シンセサイザ１０２のシンセロック時間が経過した時点（動作Ｙの時点）で、以下の動作Ｙ１１〜Ｙ１２が行なわれる。
動作Ｙ１１にて、タイミング生成部１１３が、ライン１１３ｄに第三の信号（周辺レベル測定タイミング信号）を出力する。
動作Ｙ１２にて、受信レベル測定部１１１が、動作Ｙ１１で出力された第三の信号を検出して、受信レベル出力部１０３の出力情報に基づいて受信レベルの測定を開始する。
【００５９】
そして、上記動作Ｙの時点から受信レベル測定部１１１の測定が終了した時点（動作Ｚの時点）で、以下の動作Ｚ１１〜Ｚ１３の動作が行なわれる。
動作Ｚ１１にて、タイミング生成部１１３が、ライン１１３ａに第四の信号（周辺レベル測定完了タイミング信号）を出力する。
動作Ｚ１２にて、タイミング生成部１１３が、上記動作Ｚ１１と同時に、ライン１１３ｃに、第五の信号（自局無線チャネル周波数指定タイミング信号）を出力する。
動作Ｚ１３にて、周波数指定部１１２が、動作Ｚ１２で出力された第五の信号を検出して、動作ａ）で指定された自局無線チャネル周波数Ｆ１を、周波数シンセサイザ１０２に対して指定する。
【００６０】
その後、ＣＰＵ１２０は、動作Ｃの時点で、以下の動作Ｃ１１〜Ｃ１２を行なう。
動作Ｃ１１にて、ＣＰＵ１２０は、上記動作Ｚ１１で出力された第四の信号（周辺レベル測定完了タイミング信号）を検出して、周辺レベル測定結果を、ライン１１１ａを介して読み出す。
動作Ｃ１２にて、ＣＰＵ１２０は、周辺レベルの測定（１波）という目的を終えたことになるので、オフモードを、自動周辺レベル測定部１１０に対して、ライン１２０ｂを介して指定する。
【００６１】
上述した一連の動作に関して、ＣＰＵ１２０が行なう自動周辺レベル測定部１１０との間の入出力処理に着目して、ＴＤＭＡ通信方式における周辺レベル測定のためのデータ受信制御手順を、図３を参照して説明する。
図３において、ＣＰＵ１２０は、先ずステップＰ１１にて、受信完了タイミング信号Ｓ１により、受信データ解析処理を起動する。
【００６２】
次に、ステップＰ１２にて、周辺レベル測定の開始要因が発生（上述した動作Ａ）すると、ＣＰＵ１２０は、ステップＰ１３にて、周辺ゾーン無線チャネル周波数指定（上述した動作Ｂ１１）を行ない、続いてステップＰ１４にて、周辺レベル測定をオンモードに指定（上述した動作Ｂ１２）する。
【００６３】
その後、ＣＰＵ１２０は、ステップＰ１５にて、周辺レベル測定完了信号Ｓａにより、周辺レベル読出し処理（上記動作Ｃ１１）を起動する。
そして、ＣＰＵ１２０は、ステップＰ１６にて、一連の動作の目的である１波の周辺レベルの測定が終了したので、自動周辺レベル測定部１１０の周辺レベル測定をオフモードに指定（上記動作Ｃ１２）する。
続いて、ＣＰＵ１２０は、ステップＰ１７にて、受信完了信号Ｓ２により、受信データ解析処理を起動する。
最後に、ＣＰＵ１２０は、ステップＰ１８にて、受信完了信号Ｓ３により、受信データ解析処理を起動する。
このようにして、周辺レベルの測定動作が終了する。
【００６４】
次に、周辺レベル測定をオンモードに指定するタイミングが、測定開始禁止時間帯である場合について説明する。
ＣＰＵ１２０は、図２にて動作Ａ’の時点で、ゾーン移行を必要とするような要因が発生したとき、周辺レベル測定の開始を必要とすることを検出する。
これにより、ＣＰＵ１２０は、図２にて動作Ｂ’の時点で、以下の手順Ｂ２１〜Ｂ２２（図４参照）を行なう。
手順Ｂ２１にて、ＣＰＵ１２０は、周辺ゾーン無線チャネル周波数ｆａを、周波数指定部１１２に対して、ライン１２０ａを介して指定する。
手順Ｂ２２にて、ＣＰＵ１２０は、オンモードを、自動周辺レベル測定部１１０に対して、ライン１２０ｂを介して指定する。
【００６５】
続いて、上記手順ｃ）の指定により、タイミング生成部１１３の判定結果が測定開始禁止時間帯の場合、手順Ｂ２２にてオンモードに指定された自動周辺レベル測定部１１０において、オンモードに指定された時点から最初の測定開始可能時間帯の開始時点である動作Ｘ’の時点にて、以下の動作Ｘ２１〜Ｘ２２が行なわれる。
動作Ｘ２１にて、タイミング生成部１１３が、ライン１１３ｂに、第二の信号（周辺ゾーン無線チャネル周波数指定信号）を出力する。
動作Ｘ２２にて、周波数指定部１１２が、動作Ｘ２１でライン１１３ｂに出力された上記第二の信号を検出して、手順Ｂ２１で指定された周辺ゾーン無線チャネル周波数ｆａを、周波数シンセサイザ１０２に対して指定する。
【００６６】
このようにして、上記動作Ｘ’の時点から周波数シンセサイザ１０２のシンセロック時間が経過した時点（動作Ｙ’の時点）で、以下の動作Ｙ２１〜Ｙ２２が行なわれる。
動作Ｙ２１にて、タイミング生成部１１３が、ライン１１３ｄに第三の信号（周辺レベル測定タイミング信号）を出力する。
動作Ｙ２２にて、受信レベル測定部１１１が、動作Ｙ２１で出力された第三の信号を検出して、受信レベル出力部１０３の出力情報に基づいて受信レベルの測定を開始する。
【００６７】
そして、上記動作Ｙ’の時点から受信レベル測定部１１１の測定が終了した時点（動作Ｚ’の時点）で、以下の動作Ｚ２１〜Ｚ２３の動作が行なわれる。
動作Ｚ２１にて、タイミング生成部１１３が、ライン１１３ａに第四の信号（周辺レベル測定完了タイミング信号）を出力する。
動作Ｚ２２にて、タイミング生成部１１３が、上記動作Ｚ２１と同時に、ライン１１３ｃに、第五の信号（自局無線チャネル周波数指定タイミング信号）を出力する。
動作Ｚ２３にて、周波数指定部１１２が、動作Ｚ２２で出力された第五の信号を検出して、動作ａ）で指定された自局無線チャネル周波数Ｆ１を、周波数シンセサイザ１０２に対して指定する。
【００６８】
その後、ＣＰＵ１２０は、動作Ｃ’の時点で、以下の動作Ｃ２１〜Ｃ２２（図４参照）を行なう。
動作Ｃ２１にて、ＣＰＵ１２０は、上記動作Ｚ２１で出力された第四の信号（周辺レベル測定完了タイミング信号）を検出して、周辺レベル測定結果を、ライン１１１ａを介して読み出す。
動作Ｃ２２にて、ＣＰＵ１２０は、周辺レベルの測定（１波）という目的を終えたことになるので、オフモードを、自動周辺レベル測定部１１０に対して、ライン１２０ｂを介して指定する。
【００６９】
上述した一連の動作に関して、ＣＰＵ１２０が行なう自動周辺レベル測定部１１０との間の入出力処理に着目して、ＴＤＭＡ通信方式における周辺レベル測定のためのデータ受信制御手順を、図４を参照して説明する。
図４において、ＣＰＵ１２０は、先ずステップＰ２１にて、受信完了タイミング信号Ｓ１により、受信データ解析処理を起動する。
続いて、ステップＰ２２にて、受信完了タイミング信号Ｓ２により、受信データ解析処理を起動する。
【００７０】
次に、ステップＰ２３にて、周辺レベル測定の開始要因が発生（上述した動作Ａ’）すると、ＣＰＵ１２０は、ステップＰ２４にて、周辺ゾーン無線チャネル周波数指定（上述した動作Ｂ２１）を行ない、続いてステップＰ２５にて、周辺レベル測定をオンモードに指定（上述した動作Ｂ２２）する。
【００７１】
その後、ＣＰＵ１２０は、ステップＰ２６にて、受信完了タイミング信号Ｓ３により、受信データ解析処理を起動する。
次に、ＣＰＵ１２０は、ステップＰ２７にて、周辺レベル測定完了信号Ｓｂにより、周辺レベル読出し処理（上記動作Ｃ２１）を起動する。
最後に、ＣＰＵ１２０は、ステップＰ２８にて、一連の動作の目的である１波の周辺レベルの測定が終了したので、自動周辺レベル測定部１１０の周辺レベル測定をオフモードに指定（上記動作Ｃ２２）する。
このようにして、周辺レベルの測定動作が終了する。
【００７２】
上述した実施形態においては、ＣＰＵ１２０が、受信データの解析を行なうことにより、アイドル時間帯の情報生成を行なうようにしているが、これに限らず、受信データの解析と、その結果であるアイドル時間帯の情報生成を論理回路で構成することによって、周辺レベル測定装置をハードウェアのみにより構成するようにしてもよい。
この場合、例えばＣＰＵ１２０が無線機１０１による復調データから受信データを解析して、アイドル時間帯の情報をタイミング生成部１１３に出力する機能が、論理回路によって構成される。
【００７３】
【発明の効果】
以上のように、本発明によれば、制御部の識別部により、アイドル時間帯か否かが識別されることにより、周辺レベル測定の要因が発生したとき、制御部は、アイドル時間帯か否かにかかわらず、周辺レベル測定部に対して周辺レベル測定を行なわせる。
これにより、任意のタイミングで周辺レベル測定の要因が発生したとき、制御部が周辺レベル測定部に対して周辺レベルの測定を行なわせる。したがって、周辺レベル測定部の一連のシーケンシャル動作と、周辺レベル測定のオンモード指定のタイミングとの競合を回避するような必要はなく、いつでも周辺レベルの測定が可能となる。
このようにして、本発明によれば、周辺レベル測定部における一連のシーケンシャル動作における制御部のソウトウェアに対する規制が不要となり、ソフトウェア制御が容易になり、ソフトウェアの開発期間を短縮することができる。
【図面の簡単な説明】
【図１】本発明による周辺レベル測定装置の一実施形態の構成を示すブロック図である。
【図２】図１の周辺レベル測定装置における動作を示すタイムチャートである。
【図３】図２の動作における測定開始許可時間帯でのＣＰＵの処理手順を示すフローチャートである。
【図４】図２の動作における測定開始禁止時間帯でのＣＰＵの処理手順を示すフローチャートである。
【図５】従来のＴＤＭＡ通信方式の一例を示す概念図である。
【図６】従来の周辺レベル測定装置の一実施形態の構成を示すブロック図である。
【図７】図１の周辺レベル測定装置における動作を示すタイムチャートである。
【図８】図２の動作におけるＣＰＵの処理手順を示すフローチャートである。
【符号の説明】
１０  周辺レベル測定装置
１００  受信部
１０１  無線機
１０２  周波数シンセサイザ
１０３  受信レベル出力部
１０４  同期クロック発生部
１１０  自動周辺レベル測定部
１１１  受信レベル測定部
１１２  周波数指定部
１１３  タイミング発生部
１２０  ＣＰＵ
【図１】
0003592267.tif 000002
【図２】
0003592267.tif 000003
【図３】
0003592267.tif 000004
【図４】
0003592267.tif 000005
【図５】
0003592267.tif 000006
【図６】
0003592267.tif 000007
【図７】
0003592267.tif 000008
【図８】
0003592267.tif 000009